(57)【要約】【課題】  ハートカム機構を薄くすることができ、小型化することができるカードコネクタを提供すること。【解決手段】  カードコネクタ１０２において、カード１００と当接し、前記カード１００を排出させる排出部材６０と、前記排出部材６０を前記カード１００の排出方向に向けて付勢するバネ６と、カム機構とを有する。前記カム機構は、前記排出部材６０の被カム部と係合するハートカム５０を有する。ハートカム５０は、前記カードが挿入された際、前記排出部材６０を前記カードの嵌合位置に係止させ、かつカードを排出する際には、前記排出部材６０との係止を解除させる。前記カム機構は、回転軸と支持部材としてのバネ７とを更に備え、前記カム機構は前記回転軸によって回転自在に保持され、前記バネ７は前記カム機構を予め定められた位置に配置するように付勢する。【選択図】      図５
2006286270.tif 000002
【特許請求の範囲】
【請求項１】
カードと接続するカードコネクタにおいて、前記カードコネクタは、前記カードと当接し、前記カードを排出させる排出部材と、前記排出部材を前記カードの排出方向に向けて付勢する弾性部材と、カム機構とを有し、
前記カム機構は、前記排出部材の被カム部と係合するカム部を有し、
前記カム部は、前記カードが挿入された際、前記排出部材を前記カードの嵌合位置に係止させ、かつカードを排出する際には、前記排出部材との係止を解除させるものであり、
前記カム機構は、回転軸と支持部材とを更に備え、前記カム機構は前記回転軸によって回転自在に保持され、前記支持部材は前記カム機構を予め定められた位置に配置するように付勢することを特徴とするカードコネクタ。
【請求項２】
請求項１に記載のカードコネクタにおいて、前記カム部は、カム底に段差のないハートカムを備えていることを特徴とするカードコネクタ。
【請求項３】
請求項１に記載のカードコネクタにおいて、前記支持部材はバネからなることを特徴とするカードコネクタ。
【請求項４】
請求項３に記載のカードコネクタにおいて、前記カム部はハートカムからなり、前記バネによって直立するように、回転自在に設けられていることを特徴とするカードコネクタ。
【請求項５】
請求項１に記載のカードコネクタにおいて、前記カム部は、カム底に段差を備えたハートカムを備え、前記ハートカムの溝の中で回動する部分をレバーとは別部品であるカムフォロアを設け、前記カムフォロアは前記ハートカムの溝の底に弾性的に押し付けられていることを特徴とするカードコネクタ。
【請求項６】
請求項１に記載のカードコネクタにおいて、前記排出部材の回転中心、前記排出部材のカードを直接排出する部位、前記排出部材の被カム部、及び前記排出部材の弾性部材取付部の位置関係がこの順で配置されていることを特徴とするカードコネクタ。
【発明の詳細な説明】
【技術分野】
【０００１】
本発明は、カードコネクタに関し、詳しくは、基板に固定されるメモリカード用のカードコネクタに関する。
【背景技術】
【０００２】
従来、基板に固定され、例えば、ｘＤピクチャーカード、メモリスティック、コンパクトフラッシュ（登録商標）、スマートメディア，ＳＤカード、ＭＭＣ、マイクロドライブ、そのほかＩＣカード等のメモリーカードに用いられるコネクタとしては、図１４乃至図１９に示されるものがある（特許文献１、参照）。図１４は従来技術によるメモリカードコネクタの上から見た斜視図、図１５は図１４のメモリカードコネクタの分解組立斜視図、図１６は図１４のカードコネクタの上面を取り除いたカット斜視図で、カード排出状態を示している。図１７は図１４のカードコネクタの上面を取り除いたカット斜視図で、カード挿入状態を示している。図１８は図１４のカードコネクタの上面を取り除いたカット上面図、図１９は図１４のカードコネクタのハートカムを示す部分斜視図である。図１４乃至図１９を参照すると、従来技術によるカードコネクタ１０５は、自動実装用カードコネクタであり、ハウジングを構成する箱型のインシュレータ９４及び金属製のカバー９０と、細長い金属製のコンタクト９５と、樹脂製のイジェクトバー７０と、バネ９２と、金属製のカムフォロア７９とを備えている。このカードコネクタ１０５は、基板の所定の位置に自動実装され半田固定される。以下の説明において、説明の便宜上、カードコネクタ１０５のカードを挿入する側を前方、それの長さ方向の反対側を後方と呼ぶ。
【０００３】
コンタクト９５は相手側コネクタと嵌合したり、基板に半田固定される金属製の材料から出来ている。
【０００４】
インシュレータ９４は絶縁性の材料から出来ていて、両側壁９４ａ，９４ｂと、開口９４ｄを備えた底壁９４ｃとを備えている。また、インシュレータ９４は、コンタクト９５、イジェクトバー７０、カバー９０、及びカムフォロア７９を組み込む。インシュレータ９４は後端側にコンタクト保持部９６を備え、コンタクト９５が圧入保持される。
【０００５】
イジェクトバー７０は樹脂製であり、コネクタ１０５内に挿入されたカードを排出するために設けられている。イジェクトバー７０は、インシュレータ９４にカード挿抜方向に摺動可能に取り付けられ、ハートカム７１（図１９、参照）が形成されている。
【０００６】
バネ９２は片側がインシュレータ９４にもう片側がイジェクトバー７０に突き当てられて、伸縮自在に固定される。
【０００７】
カムフォロア７９は金属製で片側がインシュレータ９４に回転可能に、もう片側がイジェクトバー７０のハートカム７１に回動自在に取り付けられる。
【０００８】
カバー９０は、金属製でインシュレータ９４に蓋をするように取り付けられる。
【０００９】
図１５、図１８，及び図１９を参照すると、イジェクトバー７０のハートカム７１の底にカムフォロア７９が逆走しないよう段差７２、７３、７４，７５を付けている。この段差７２，７３，７４，７５を設けるために各段差の手前側は斜面７６，７７，７８，８８とし傾斜を設けている。また、ハートカム７１は、１周すると元の探さに戻れるようにこのような構造となっている。
【００１０】
カムフォロア７９はこのハートカム７１の溝の中をカバー９０のバネ部９１から力を受けてハートカム７１の底に密着し上下に動きながら回動する。そのとき各段差７２、７３、７４，７５から落ちて逆走しないようになっているが、段差７２、７３、７４，７５分ハートカム７１は厚くなっていた。また、カムフォロア７９をハートカム７１に押さえつけるバネ９１が必要であり、合計の厚みがハートカム７１とカムフォロア７９とバネ９１との合計分となり、薄くするのが困難であった。
【００１１】
また、図１８を参照すると、従来技術によるカードコネクタ１０５のカードプッシュ機構の構成は、カードの脇にイジェクトバー７０がありカードを出し入れする突起８１はカード側に、常にカードを排出方向に押すバネ９２を受ける部分８２はカードの脇に配置されている。ハートカム７１はイジェクトバー７０のカード脇に設けられている。常にカード排出方向に押すバネ９２もカードの脇にイジェクトバー７０と直列に存在する。カードを挿入するとイジェクトバー７０のカードを出し入れする突起８１がカードから押されイジェクトバー７０がカード挿入方向に移動し、イジェクトバー７０のバネ９２を受ける部分８２がカード脇に配置されたバネ９２を押す。逆にカードを排出するときはイジェクトバー７０のバネ９２を受ける部分８２がバネ９２からカード排出方向に押され、イジェクトバー７０がカード排出方向に移動し、カードを出し入れする突起８１がカードを排出方向に押し出す。このときの力関係はイジェクトバー７０のカードを出し入れする突起８１の位置とバネ９２から戻されようとする力を受ける部分８２は一直線上ではなく左右にずれている。このためイジェクトバー７０は直線運動だけするはずが、回転しようとするモーメントも働き、壁９３、８３に干渉し摩擦が発生することにより操作感が損なわれていた。
【００１２】
また、従来はイジェクトバー７０の直線運動でカードを排出していた。ここで、ｇをカードから受ける力、ｈをバネ９２から受ける力とすると、ｇ＜ｈの関係であり、カードから受ける力ｇよりもバネ９２から受ける力ｈを大きくしなければカードは排出できずバネ９２の力は大きくなっていた。このため、バネ９２を取り付けるインシュレータ９４に負担が大きくかかりインシュレータ９４の変形が発生することにより、イジェクトバー７０との摩擦の増大で操作感か損なわれていた。
【００１３】
また、カードの操作感の良し悪しを決める要素のひとつは上記の他に、カムフォロア７９の突起７９ａがハートカム７１の各段差の底８４、８５、８６、８７に落ちるときの音の大きさである。この音の大きさを大きくすると操作感が良いとされる。従来においては、この音を大きくする手段としてカバー９０のカムフォロア７９をハートカム７１に押し付けるバネ９１を強くすることで対応してきたが、あまり強くするとハートカム７１の底との摩擦が大きくなりイジェクトバー７０が摺動しなくなりカードが排出できない問題が発生していたため、大きな音を出すことで操作感をあげることは困難であった。
【００１４】
【特許文献１】特開２００１−２６７０１３号公報
【発明の開示】
【発明が解決しようとする課題】
【００１５】
そこで、本発明の技術的課題は、ハートカム機構を薄くすることができ、小型化することができるカードコネクタを提供することにある。
【００１６】
また、本発明のもう一つの技術的課題は、レバーの移動軌跡が安定し他の部品との摩擦が減ることで操作感が損なわれることがないカードコネクタを提供することにある。
【００１７】
また、本発明のさらにもう一つの技術的課題は、バネの力を既存の取り付け方法よりも弱くでき、ハウジングの強度に余裕ができるとともに、操作感を損なうようなレバーやインシュレータの変形、そりも少なくなり他の部品との摩擦をへらすことができるカードコネクタを提供することにある。
【００１８】
また、本発明の他の技術的課題は、ハートカムの回転の勢いを強くできレバー突起に衝突する音を簡単に大きくすることができ、操作感を高めることができるカードコネクタを提供することにある。
【課題を解決するための手段】
【００１９】
本発明によれば、カードと接続するカードコネクタにおいて、前記カード用コネクタは、前記カードと当接し、前記カードを排出させる排出部材と、前記排出部材をカードの排出方向に向けて付勢する弾性部材と、カム機構とを有し、前記カム機構は、排出部材の被カム部と係合するカム部を有し、前記カム部は、前記カードが挿入された際、前記排出部材を前記カードの嵌合位置に係止させ、かつカードを排出する際には、前記排出部材との係止を解除させるものであり、前記カム機構は、回転軸と支持部材とを更に備え、前記カム機構は前記回転軸によって回転自在に保持され、前記支持部材は前記カム機構を所定位置に配置するように付勢することを特徴とするカードコネクタが得られる。
【００２０】
また、本発明によれば、前記カードコネクタにおいて、前記カム部はカム底に段差のないハートカムを備えていることを特徴とするカードコネクタが得られる。
【００２１】
また、本発明によれば、前記カードコネクタにおいて、前記支持部材はバネからなることを特徴とするカードコネクタが得られる。
【００２２】
また、本発明によれば、前記カードコネクタにおいて、前記カム部はハートカムからなり、前記バネによって直立するように、回転自在に設けられていることを特徴とするカードコネクタが得られる。
【００２３】
また、本発明によれば、前記カードコネクタにおいて、前記カム部は、カム底に段差を備えたハートカムを備え、前記ハートカムの溝の中で回動する部分をレバーとは別部品であるカムフォロアを設け、前記カムフォロアは前記ハートカムの溝の底に弾性的に押し付けられていることを特徴とするカードコネクタが得られる。
【００２４】
また、本発明によれば、前記カードコネクタにおいて、前記排出部材の回転中心、前記排出部材のカードを直接排出する部位、前記排出部材の被カム部、及び前記排出部材の弾性部材取付部の位置関係がこの順で配置されていることを特徴とするカードコネクタが得られる。
【発明の効果】
【００２５】
本発明によるカードコネクタにおいては、カム部として、ハートカムの底の段差をなくし、排出部材として回転運動のみするレバーを使用することにより、ハートカム機構を薄くすることができ、小型化することができる。
【００２６】
また、本発明によるカードコネクタにおいては、排出機構であるレバーに加わるモーメントは、弾性部材であるバネによって戻される回転モーメントと、カードとしてのメモリーカードから加わる回転モーメントであり、それぞれレバーの回転支点を中心としたモーメントのみである。よって、レバーの移動軌跡が安定し他の部品との摩擦が減ることで操作感が損なわれることがない。
【００２７】
また、本発明によるカードコネクタにおいては、排出機構であるレバーには回転支点に近い方にメモリカードを排出させる部分と、その外側に常にレバーをメモリーカード等のカードの排出方向にもどすためのバネ取り付け部がある。この部分の位置関係、すなわち、てこ比により、バネの力は既存の取り付け方法よりも弱くできハウジングの強度に余裕ができる。
【００２８】
また、本発明によるカードコネクタにおいては、弾性部材としてのバネの力を弱くすることにより、前記操作感を損なうような排出機構としてのレバーやハウジングの変形、そりも少なくなり他の部品との摩擦が減る。
【００２９】
また、カードコネクタにおいては、操作感の良し悪しを決める要素のひとつは上記の他に、ハートカムの側壁とレバーの突起が衝突するときに出す音の大きさであり、この音の大きさを大きくすると操作感が良いとされる。
【００３０】
本発明によるコネクタでは、支持部材としてバネを使用し、カム部としてのハートカムを引っ張ることでハートカムの壁にレバー突起を衝突させ音をだしているが、このバネの力を強くすることでハートカムの回転の勢いを強くできレバー突起に衝突する音を簡単に大きく出来る。
【発明を実施するための最良の形態】
【００３１】
以下、本発明の実施の形態について図面を参照しながら説明する。
【００３２】
図１は本発明の実施の形態によるカードコネクタのベース側の斜視図である。図２は本発明の実施の形態によるカードコネクタのベース側とフレーム側とが合体した斜視図である。図３は本発明の実施の形態によるカードコネクタの表側から眺めた分解組立斜視図である。図４は図３のカードコネクタを裏面側から眺めた斜視図である。図５は図４のカードコネクタのカバーの一部を切除した斜視図である。
【００３３】
図１乃至図５を参照すると、本発明の実施の形態によるカードコネクタ１０２は、実装用カードコネクタとして使用される。カードコネクタのベース部１０１は、金属製のベースコンタクト２、樹脂製のベースハウジング１から構成され、基板１１０の所定の位置に自動実装され半田固定される。ベースコンタクト２は、ベースハウジング１に圧入することで、固定されている。
【００３４】
フレーム部２０は、樹脂製のロケータ３と、金属製のコンタクト５と、樹脂製のハウジング３０と、金属製のカバー４０と、カム部としての樹脂製のハートカム５０と、カードを排出する排出部材としての金属製のレバー６０と、弾性部材としての第１のバネ６と、支持部材としての第２のバネ７とを備えて構成され、基板１１０に実装された自動実装用カードコネクタのベース部１０１に被せて使用する。
【００３５】
カム機構は、ハートカム５０からなるカム部と、ハートカム５０の回転孔５１に嵌合する回転軸２４と、支持部材としての第２のバネ７とを備えて構成されている。
【００３６】
図４に示すように、ロケータ３は、左右突起部３ａがハウジング３０のコの字部分２１ａに圧入され固定される。
【００３７】
コンタクト５は、圧入部５ａ，５ｂの箇所で、ハウジング３０の穴（図示せず）に圧入され固定される。ハートカム５０は回転孔５１がインシュレータ３０の突起（回転軸）２４にはまり込み、回転できる状態となる。
【００３８】
第２のバネ７は、コイル状の本体７ｃの一端のフック７ａがハウジング３０の突起２６に組み込まれ、他端のフック７ｂがハートカム５０の突起５２に組み込まれる。このときハートカム５０は第２のバネ７から常に引っ張られる力を受け直立姿勢を保とうとする。レバー６０は穴６１がハウジング３０の突起からなる回転軸２７にはまり込み、回転できる状態となる。また、カード排出部６２がメモリカード１００を排出・挿入時に押される箇所である。
【００３９】
第１のバネ６はフック６ａがレバー６０の突起によるバネ取り付け部６３に組み込まれ、フック６ｂはハウジング３０の円柱状の突起２８に組み込まれる。このときレバー６０は第１のバネ６から引っ張られる力を常に受け、回転軸（円柱状の突起）２７を回転中心にＡ方向にもどされようとする。カバー４０は左右穴４１がハウジング３０の突起２９に、また、誘い部４２がスリット部３１にはまり込むことで固定される。
【００４０】
また、図５において、レバー６０には、窪み２５の前端側に形成された回転孔５１からなる回転支点に近い方にカードを排出させるカード排出部６２と、その外側に常にレバー６０をカード排出方向にもどすためのバネ取り付け部６３がある。
【００４１】
この部分の位置関係は、てこ比で表せ、カード抜去力ｇ、回転支点からカードを排出する位置までの距離ｅ、第２のバネ７がレバー６０をａ方向に戻そうとする力ｈ、回転支点からレバー６０が第２のバネ７から力を受ける距離ｆとするとｇ×ｅ＝ｈ×ｆ（式１）となる。設計上はカードを排出させなければならないためｇ×ｅ＜ｈ×ｆとし、カード排出のための回転モーメントを大きくする。
【００４２】
図６乃至図１３は図３のカードコネクタのハートカムの動作の説明に供せられる上面図である。
【００４３】
図６は、メモリカード１００が挿入されている状態を示している。このときレバー６０は第１のバネ６により、ハウジング３０の突起２７を回転中心にカード排出方向Ａ側に力を受けているが、被カム部としてのレバー６０の突起６４が、カム部をなすハートカム５０の窪み５８にはまっているため、レバー６０のカード排出部６２はこれ以上Ａ方向に回転することができず、メモリカード１００は初期位置に留まることができる。
【００４４】
このときハートカム５０は第２のバネ７によりＣ方向に回転しようとする力を受けている。
【００４５】
図７は、メモリカード１００を排出するときの図で、図６の状態からメモリカード１００をＢ方向に最後まで押し込んだ状態を示す。メモリカード１００がＢ方向に押し込まれるとレバー６０の排出部６２が押されレバー６０はインシュレータ３０の突起２７を中心にＢ方向に回転する。そうするとレバー６０の突起６４がハートカム５０の窪み５８から移動し突起５７を越えるが、ハートカム５０は第２のバネ７により引っ張られているため直立しようとＣ方向に回転し、レバー６０の突起６４はハートカム５０の壁５５に衝突する。このとき衝突音が発生しハートカム５０の回転はとまる。
【００４６】
図８は図７の状態からメモリカード１００がハウジング３０の壁３２に突き当たりメモリカード１００の押し込む力を弱めて、メモリカード１００が排出されている状態を示す。このときレバー６０は、第１のバネ６によりカード排出方向Ａに力を受けているため、ハウジング３０の突起２７を中心に回転し排出部６２を介してメモリカード１００を排出する。ハートカム５０は、第２のバネ７によりＣ方向に回転するよう引っ張られているため直立し、レバー６０の突起６４がハートカム５０の突起５７の左側を通過する。このまま、レバー６０がカード排出方向Ａに移動すると、ハートカム５０は、レバー突起６４に押されてＣ方向に回転する（図示せず）。
【００４７】
図９はメモリカード１００を排出し終わった状態を示す。第１のバネ６によりカード排出方向Ａに力を受けていたレバー６０はハウジング３０の壁３２に突き当たり回転がとまり、メモリカード１００も停止する。このときハートカム５０は第２のバネ７から力を受けているためＤ方向に回転し、直立している。
【００４８】
図１０はメモリカード１００を挿入している状態を示す。メモリカード１００が挿入されると、レバー６０はカード排出部６２を介してハウジング３０の回転軸２７を中心にＢ方向に回転する。このときレバー６０の突起６４がハートカム５０の壁５９にあたり、ハートカム５０はＤ方向にハウジング３０の突起２４を中心に回転する。
【００４９】
図１１は、図１０と同様にメモリカード１００を挿入している状態を示す。この状態も突起６４がハートカム５０の壁５９にあたっているが、突起５６でハートカム５０はＤ方向に最大変位で回転軸（円柱状の突起）２４を中心に回転している。
【００５０】
図１２はメモリカード１００を挿入し終わる寸前の状態を示す。図１１でレバー６０の突起６４がハートカム５０の突起５６を通過するとハートカム５０は最大変位で回転軸２４を中心にＤ方向に回転しているが、第２のバネ７により直立になるよう引っ張られているため、Ｃ方向に回転する。そうすると、レバー６０の突起６４にハートカム５０の壁５４が衝突し衝突音が発生する。
【００５１】
図１３はメモリカード１００を挿入し終わり初期位置にもどる寸前の状態を示す。図１２の状態からメモリカード１００が、カード挿入方向Ｂに押されるとハウジング３０の壁３２に突き当たり手を緩めるとメモリカード１００はカード排出方向Ａ側に移動する。これはレバー６０が第１のバネ６によりインシュレータ５０の回転軸２７を中心にカード排出方向Ａ側に常に引っ張られているためレバー突起６２を介してメモリカード１００がカード排出方向Ａ側に押されることによる。よって、ハートカム５０の壁５４にあたったレバー６０はカード排出方向Ａ側に回転するが、ハートカム５０も第２のバネ７によりｃ方向に回転していることからレバー６０の突起６４は今度はハートカム５０の突起５７に衝突する。このときも衝突音が発生する。そのままレバー６０がカード排出方向Ａ側に移動し、図６の状態となりメモリカード１００は初期位置にくる。
【００５２】
以上説明したように、従来ハートカムの底にカムフォロアが逆走しないよう段差を付けているが、この構成にするとカムフォロアが段差を超えるため上下に移動しながらカムの溝を移動する。そのためカムフォロアをハートカムに押さえつけるバネが必要であり、厚みもハートカム＋カムフォロア＋バネ分となり薄くするのが困難であった。
【００５３】
しかし、本発明の実施の形態においては、カムの底の段差をなくすことにより回転運動のみとするレバーを使用できるようになったため、カムフォロアを押さえつけるバネが不必要となり厚みを薄くできるようになった。
【００５４】
また、従来のカードプッシュ機構の構成は、カードの脇にイジェクトバーがありカードを出し入れする突起はカード側に、常にカードを排出方向に押すバネを受ける部分はカードの脇に配置されている。ハートカムはカードの脇のイジェクトバーに設けられている。常にカード排出方向に押すバネもカードの脇にイジェクトバーと直列に存在する。カードを挿入すると、イジェクトバーがカードから押されカード脇に配置されたバネも押される。このときのイジェクトバーが、カードから力を受ける突起位置とバネから戻されようとする力を受ける部分は―直線上ではなく左右にずれている。このためイジェクトバーは直線運動だけするはずが、回転しようとするモーメントも働き、各々の取り付け部に干渉し摩擦が発生し操作感が損なわれていた。
【００５５】
しかし、本発明の実施の形態においては、レバーに加わるモーメントはバネによって戻される回転モーメントとメモリカードから加わる回転モーメントであり、それぞれレバーの回転支点を中心としたモーメントのみである。よってレバーの移動軌跡が安定し他の部品との摩擦が減ることで操作感が損なわれることがない。
【００５６】
また、図５のところで、述べたように、レバーには回転支点に近い方にカードを排出させる部分と、その外側に常にレバーをカード排出方向にもどすためのバネ取り付け部がある。この部分の位置関係は、てこ比で表せ、カード抜去力ｇ、回転支点からカードを排出する位置までの距離ｅ、バネがレバーをａ方向に戻そうとする力ｈ、回転支点からレバーがバネから力を受ける距離ｆとするとｇ×ｅ＝ｈ×ｆ（式１）となる。設計上はカードを排出させなければならないためｇ×ｅ＜ｈ×ｆとし、カード排出のための回転モーメントを大きくする。
【００５７】
従来はレバーの回転運動でカードを排出するのではなくイジェクトバーの直線運動でカードを排出していたので、ｇ＜ｈ（式２）の関係であった。上記式１より、ｈ＝ｇ×ｅ／ｆとなりｅ／ｆは１より小さいので、ｈ＜ｇとなり従来の式２と比較してｈを小さくできる。このように、本発明の実施の形態においては、バネの力は既存の取り付け方法よりも弱くできインシュレータの強度に余裕ができる。また、バネの力を弱くすることにより操作感を損なうようなレバーやインシュレータの変形やそりも少なくなり他の部品との摩擦が減る。
【００５８】
また、操作感の良し悪しを決める要素のひとつは上記の他に、ハートカムの側壁とレバーの突起が衝突するときに出す音の大きさである。この音の大きさを大きくすると操作感が良いとされる。本発明の実施の形態においては、バネを使用しハートカムを引っ張ることでハートカムの壁にレバー突起を衝突させ音をだしているが、このバネの力を強くすることでハートカムの回転する勢いを強くできレバー突起に衝突する音を簡単に大きく出来る。
【産業上の利用可能性】
【００５９】
以上説明した通り、本発明に係るカードコネクタは、デジタルカメラ、携帯端末、ノート型パーソナルコンピュータ等の電子機器や電気機器などのメモリーカードコネクタに適用できる。
【図面の簡単な説明】
【００６０】
【図１】本発明の実施の形態によるカードコネクタのベース側の斜視図である。
【図２】本発明の実施の形態によるカードコネクタのベース側とフレーム側とが合体した斜視図である。
【図３】本発明の実施の形態によるカードコネクタの表側から眺めた分解組立斜視図である。
【図４】図３のカードコネクタを裏面側から眺めた斜視図である。
【図５】図４のカードコネクタのカバーの一部を切除した斜視図である。
【図６】図３のカードコネクタのハートカムの動作の説明に供せられる上面図で、メモリカード１００が挿入されている状態を示している。
【図７】図３のカードコネクタのハートカムの動作の説明に供せられる上面図で、メモリカード１００を排出するときの図である。
【図８】図３のカードコネクタのハートカムの動作の説明に供せられる上面図で、メモリカード１００が排出されている状態を示している。
【図９】図３のカードコネクタのハートカムの動作の説明に供せられる上面図で、メモリカード１００を排出し終わった状態を示している。
【図１０】図３のカードコネクタのハートカムの動作の説明に供せられる上面図で、メモリカード１００を挿入している状態を示している。
【図１１】図３のカードコネクタのハートカムの動作の説明に供せられる上面図で、メモリカード１００を挿入している状態を示している。
【図１２】図３のカードコネクタのハートカムの動作の説明に供せられる上面図で、メモリカード１００を挿入し終わる寸前の状態を示している。
【図１３】図３のカードコネクタのハートカムの動作の説明に供せられる上面図である。
【図１４】従来技術によるメモリカードコネクタの上から見た斜視図である。
【図１５】図１４のメモリカードコネクタの分解組立斜視図である。
【図１６】図１４のカードコネクタの上面を取り除いたカット斜視図で、カード排出状態を示している。
【図１７】図１４のカードコネクタの上面を取り除いたカット斜視図で、カード挿入状態を示している。
【図１８】図１４のカードコネクタの上面を取り除いたカット上面図である。
【図１９】図１４のカードコネクタのハートカムを示す部分斜視図である。
【符号の説明】
【００６１】
１    ベースハウジング
２    ベースコンタクト
３    ロケータ
３ａ    突起部
５    コンタクト
５ａ，５ｂ    圧入部
６    第１のバネ
６ａ，６ｂ    フック
７    第２のバネ
７ａ，７ｂ    フック
２０    フレーム部
２１ａ    コの字部分
２４    回転軸
２６    突起
２７    回転軸（円柱状の突起）
２８    突起
３０    ハウジング
３２    壁
４０    カバー
４１    穴
４２    誘い部
５０    ハートカム
５１    回転孔
５２    突起
５４    壁
５５    壁
５６    突起
５７    突起
５８    窪み
５９ａ，５９ｂ，５９ｃ    壁
６０    レバー
６１    穴
６２    カード排出部
６３    バネ取り付け部
６４    突起
７０    イジェクトバー
７１    ハートカム
７２，７３，７４，７５    段差
７６，７７，７８，８８    斜面
７９    カムフォロア
８１    突起
８２    バネを受ける部分
８３，９３    壁
９０    カバー
９１    バネ
９２    バネ
９４    インシュレータ
９５    コンタクト
１００    メモリカード
１０１    ベース部
１０５    カードコネクタ
１１０    基板
【図１】
2006286270.tif 000003
【図２】
2006286270.tif 000004
【図３】
2006286270.tif 000005
【図４】
2006286270.tif 000006
【図５】
2006286270.tif 000007
【図６】
2006286270.tif 000008
【図７】
2006286270.tif 000009
【図８】
2006286270.tif 000010
【図９】
2006286270.tif 000011
【図１０】
2006286270.tif 000012
【図１１】
2006286270.tif 000013
【図１２】
2006286270.tif 000014
【図１３】
2006286270.tif 000015
【図１４】
2006286270.tif 000016
【図１５】
2006286270.tif 000017
【図１６】
2006286270.tif 000018
【図１７】
2006286270.tif 000019
【図１８】
2006286270.tif 000020
【図１９】
2006286270.tif 000021